(57)【要約】【課題】　ゴルファーが自分のスイングでの所定のタイプのエラーを発見することを可能にする、ゴルフスイングトレーニング装置を提供すること【解決手段】　ゴルファーのスイングのトレーニングに用いられるゴルフクラブであって、ハンドグリップを有する第１端部と、ボールを当てるようにされたクラブヘッドを有する第２端部と、該第１端部と第２端部との間に配備され、該第２端部が、該第１端部との第１の軸に沿った長さ方向の整合から外れて選択的に折り曲げられることを可能にするヒンジと、該ヒンジと連動して、該第１および第２端部を長さ方向の整合状態に選択的に維持する手段であって、付勢手段を備え、該付勢手段に対向して整合を解除するのに所定の力を必要とする、維持手段と、該付勢手段を変更する変更手段とを備え、該第１の軸に近接し、また該軸とは整合しない位置から接近し得る、該変更手段へのアクセス手段を備えた、改良されたゴルフクラブ【選択図】　なし【特許請求の範囲】
【請求項１】
ゴルファーのスイングのトレーニングに用いられるゴルフクラブであって、ハンドグリップを有する第１端部と、ボールを当てるようにされたクラブヘッドを有する第２端部と、該第１端部と第２端部との間に配備され、該第２端部が、該第１端部との第１の軸に沿った長さ方向の整合から外れて選択的に折り曲げられることを可能にするヒンジと、該ヒンジと連動して、該第１および第２端部を長さ方向の整合状態に選択的に維持する手段であって、付勢手段を備え、該付勢手段に対向して整合を解除するのに所定の力を必要とする、維持手段と、該付勢手段を変更する変更手段とを備え、
　該第１の軸に近接し、また該軸とは整合しない位置から接近し得る、該変更手段へのアクセス手段を備えた、改良されたゴルフクラブ。
【発明の詳細な説明】
【技術分野】
【０００１】
　本発明はトレーニング装置の技術に関する。詳しくは、ゴルフスイングトレーニング装置に関する。本発明は、特に、ゴルファーが自分のスイングでの所定のタイプのエラーを発見することを可能にし、またエラーの明確な表示を行う、ゴルフスイングトレーニング装置に適応され得る。ゴルファーのスイングが適切に行われるときは、ゴルファーはこのトレーニング装置をつけたままでゴルフボールを当てることができ、この場合も、迅速なおよび明確なフィードバックが得られ得る。しかし、本発明はさらに広い範囲の適用を有しており、実際にゴルフボールに当てずに、または他のゴルフスイングトレーニング方法、装置、および指導と共に使用してもよい。
【背景技術】
【０００２】
　多くのゴルフスイングトレーニング装置が当該分野では既に知られているが、本発明は、特に、共通に譲渡されたＫｏｃｈらの米国特許第４，８５４，５８５号の改良である。この特許に図示および記述されているように、ゴルフクラブのシャフトに２方向ヒンジを設けることにより、クラブヘッドは、ウッド、アイアンを問わず、シャフトの他の部分との整合した配置から外れて折れ、ゴルファーのスイングの欠点すなわちエラーが表示され得る。スイングが技術的に正しければ、ヒンジは折れずに保持され、シャフト両部分は整合が保持され、ゴルファーはボールを打つと同時に、スイングが成功したことを即座に知ることができる。
【０００３】
　米国特許第４，８５４，５８５号は、ヒンジアセンブリが、突出部と、突出部を収容する手段と、突出部を収容する手段の方向に付勢してヒンジを引っ張るすなわち折れない状態に維持する付勢手段とを備えた１つの好適な構造を教示している。この特許の開示は本明細書にて参考のため援用されている。詳しくは、特許第４，８５４，５８５号は、コイルバネによって一方のヒンジ部材から外向きに付勢される突出部としてボールを用いている。ボールは他方のヒンジ部の凹部に収容されて、ヒンジ部とシャフト部とを整合された状態に維持するが、間違ったスイングを行うことによって加えられる所定の力がバネの付勢より大きいときは、この力によりクラブヘッドは後方向または前方向に折れる。所望であれば、調整部材がバネと共働することにより、ボール部材および従ってヒンジアセンブリの張力を調整し得る。
【０００４】
　特許第４，８５４，５８５号の教示に基いて市販されているゴルフスイングトレーニング装置は商業的にかなりの成功を収めている。しかし、本出願では、改良が必要な様々な領域に注目している。第１の改良領域は、ヒンジアセンブリの張力、すなわち、ヒンジを整合位置から折れた状態にするのに必要な力の調整を容易にすることである。第４，８５４，５８５号で開示された配置では、グリップをシャフトの上部から取り外して、シャフトの上部から細長い道具を挿入することにより、付勢力を所望通りに変更する必要がある。特に、必要な装置にそれほど多く接することのないエンドユーザにとっては、このトレーニング装置の調整を行うのは複雑な工程であると考えられる。
【０００５】
　第２の改良領域は、間違ったゴルフスイングを表示するためにヒンジを折るのに必要とされる力に関連する。すなわち、ゴルフスイングの力学により、一方の方向にヒンジが折れるのが他の方向に折れるより難かしくするのが望ましいと考えられる。従って、クラブのある不適切な動きの間にクラブヘッドを前方向に偏らすためには、クラブヘッドを後方向に折るのとは異なる大きさの力が必要とされる。つまり、ゴルフスイングのエラーのうち所定のものはゴルフスイングの他のエラーより容易に発見される。
【発明の開示】
【発明が解決しようとする課題】
【０００６】
　木発明は、製造および使用が簡単で、実用的で、しかも経済的な方法で上述の目標などを満足させる、新規のおよび改良されたゴルフスイングトレーニング装置を提供する。
【課題を解決するための手段】
【０００７】
　本発明は、ゴルファーのスイングのトレーニングに用いられるゴルフクラブであって、ハンドグリップを有する第１端部と、ボールを当てるようにされたクラブヘッドを有する第２端部と、第１端部と第２端部との間に配備され、第２端部が、第１端部との第１の軸に沿った長さ方向の整合から外れて選択的に折り曲げられることを可能にするヒンジと、ヒンジと連動して、第１および第２端部を長さ方向の整合状態に選択的に維持する手段であって、付勢手段を備え、付勢手段に対向して整合を解除するのに所定の力を必要とする、維持手段と、付勢手段を変更する変更手段とを備え、第１の軸に近接し、また軸とは整合しない位置から接近し得る、変更手段へのアクセス手段を備える。
【０００８】
　好適な実施形態では、上記アクセス手段が、クラブの長さ方向に対して略平行である。
【０００９】
　好適な実施形態では、上記変更手段が、上記ヒンジと一体形成され、また、上記クラブヘッドの上記第１の軸からの延長部とは反対の方向に第１の軸から離れ、これにより、変更手段が上記クラブの位置決めを容易にするために使用され得る。
【００１０】
　好適な実施形態では、上記維持手段が、上記クラブヘッドを上記第１端部との長さ方向の整合から外して第１の方向に折るために第１の力を必要とする手段であって、第１の力は、クラブヘッドを第１端部との長さ方向の整合から外して反対の第２の方向に折るために必要とされる第２の力と異なる、必要手段を含む。
【００１１】
　好適な実施形態では、上記ヒンジが、ピン部材によって互いに連結されて連動し、各々に対して選択的な運動を行う第１および第２部分を含み、上記維持手段が、第１および第２部分の一方から延びる突出部と第１および第２部分の他方に形成される凹部とを含み、凹部は第１表面を有し、第１表面は、突出部に対して第２表面とは異なる角度で配置され、これにより、上記クラブヘッドを、上記第１端部との長さ方向の整合から外して対向する第１および第２の方向に折るのに、異なる力が必要とされる。
【００１２】
　好適な実施形態では、上記凹部がＶ形状のノッチによって形成される。
【００１３】
　好適な実施形態では、上記突出部がボール部材によって形成される。
【００１４】
　好適な実施形態では、上記ヒンジが、ピン部材によって互いに連結されて連動し、各々に対して選択的な運動を行う第１および第２部分を含む。
【００１５】
　好適な実施形態では、上記ヒンジの第１部分が雄部材であり、上記ヒンジの第２部分が雌部材である。
【００１６】
　好適な実施形態では、上記ヒンジの第１部分が、上記ヒンジの第２部分と実質的に同じである。
【００１７】
　本発明はまた、ゴルファーのトレーニングに用いられるゴルフクラブにおいて、クラブは、グリップを有する第１端部とクラブヘッドを有する第２端部とを有する細長いシャフトを備え、シャフトは、不適切なスイングが行われると、第１および第２端部を互いに対して選択的に分節させるヒンジによって２つの部分に分割され、ヒンジは、シャフトの第１パートに固定される第１部分と、シャフトの第２パートに固定される第２部分と、ヒンジの第１および第２部分を互いに連結するピン部材と、ヒンジに組み込まれ、シャフトの第１および第２パートを第１の軸に沿って整合状態に維持する手段であって、ヒンジの第１および第２部分の一方から外向きに延びる突出部と、ヒンジの第１および第２部分の他方に突出部を収容する収容手段とを含む、維持手段と、収容手段と突出部とを付勢して連動する係合状態におく、付勢手段と、付勢手段によって加えられる力を変更する手段であって、第１の軸とは整合しない位置に置かれる、変更手段とを備えている。
【００１８】
　好適な実施形態では、上記変更手段が、上記第１の軸に対して略平行の関係で配置され、上記突出部を外向きに付勢する付勢手段に当接するネジ切り部材を含む。
【００１９】
　好適な実施形態では、上記付勢手段がバネである。
【００２０】
　好適な実施形態では、上記ヒンジの第１部分が雄部材であり、上記ヒンジの第２部分が、間に雄部材を収容する第１および第２ヨークを有する雌部材である。
【００２１】
　好適な実施形態では、上記雄部材が、上記突出部から外れた位置にあるボール部材を有し、上記雌部材の上記ヨークの一方に形成される凹部と共働する。
【００２２】
　好適な実施形態では、上記収容手段が、上記突出部が移動しないように保持する保持手段を含み、保持手段が、上記ヒンジを一方向に折るのに第１の大きさの力を、およびヒンジを反対方向に折るのに第１の大きさの力とは異なる第２の大きさの力を必要とする。
【００２３】
　好適な実施形態では、上記保持手段が、上記第１の軸に対して第１の角度で配置された第１の表面と、第１の軸に対して異なる第２の角度で配置された第２の表面とを含む。
【００２４】
　好適な実施形態では、上記第１の角度が約６０゜であり、上記第１の軸に対して上記クラブヘッドの後方向の折れを制御するようにされる。
【００２５】
　好適な実施形態では、上記第２の角度が約４５゜であり、上記第１の軸に対して上記クラブヘッドの前方向の折れを制御するようにされる。
【００２６】
　好適な実施形態では、上記第１および第２の表面が、上記第１の軸から外れた領域で交差する。
【００２７】
　好適な実施形態では、上記保持手段が、上記突出部の曲率より実質的に小さい曲率を有する略半球状の凹部によって形成される。
【００２８】
　本発明はまた、ゴルファーのスイングのトレーニングに用いられるゴルフクラブであって、ハンドグリップを有する第１端部とクラブヘッドを有する第２端部とを有する細長いシャフトと、第１端部と第２端部との間に配備され、クラブヘッドがグリップに対して前方向および後方向に分節することを可能にする２方向ヒンジと、ヒンジと連動して、第１および第２端部を長さ方向の整合状態に選択的に維持する連動手段とを備え、ヒンジを折り、クラブヘッドを第１端部との長さ方向の整合から外して第１の方向に移動させるのに第１の力を必要とする手段であって、第１の力は、ヒンジを折り、クラブヘッドを第１端部との長さ方向の整合から外して反対の第２の方向に移動させるのに必要とされる第２の力と異なる、必要手段を備える。
【００２９】
　好適な実施形態では、上記維持手段が、上記ヒンジの第１および第２部分を整合関係に保持する付勢手段を含む。
【００３０】
　好適な実施形態では、上記付勢手段を変更する変更手段をさらに備える。
【００３１】
　好適な実施形態では、上記必要手段が、上記細長いシャフトの長軸に対して異なる角度で配置された第１および第２表面を有するＶ形状のノッチによって形成される。
【００３２】
　好適な実施形態では、上記第１および第２表面の交差部が上記長軸から外れた位置にある。
【００３３】
　好適な実施形態では、上記必要手段が、ボール部材を収容する略半球状の凹部によって形成され、凹部の曲率がボール部材の曲率より実質的に小さい。
【００３４】
　本発明によれば、新規のゴルフクラブはヒンジアセンブリを改変して、変更または引っ張り手段への接近を容易にする。
【００３５】
　本発明の別の面によれば、引っ張り手段は中心軸から外れた位置に置かれ、またクラブシャフトの長さ方向に略平行である。
【００３６】
　本発明のさらに別の面によれば、ヒンジアセンブリは、クラブを後方向および前方向に折るのに異なる力を必要とする手段を組み込んでいる。
本発明のさらに別の面によれば、中心軸から外れた引っ張り手段は、使用に際してクラブを真直ぐにするのを容易にする。
【００３７】
　本発明の第１の利点は、ヒンジアセンブリの張力の調整が容易であることである。
【００３８】
　本発明の別の利点は、本新規の発明に関連した、低コスト、持続性、および使用が容易であることによって実現される。
【００３９】
　本発明の別の利点は、異なるクラブの動きによるエラーに対しては、ヒンジアセンブリを折るのに異なる力が必要とされるようにすることによって、ゴルフストロークの精密な調整が可能であることである。
【００４０】
　本発明のさらに別の利点および長所は、以下の詳細な記述を読みそして理解することにより、当業者にとっては明らかとなるはずである。
【００４１】
　本発明は所定の構成部品および構成部品の配置を有する物理的な形態を取り得る。これらの好適な実施態様は、本明細書において詳細に記述され、また、その一部を構成する以下の添付図面において図示される。
【発明を実施するための最良の形態】
【００４２】
　図面は、単に本発明の好適な実施態様を図示するためのものであって、本発明を限定するためのものではない。これら図面は、ゴルフクラブＢに組み込まれたヒンジアセンブリＡを有するゴルフスイングトレーニング装置を示す。
【００４３】
　詳しくは、ゴルフクラブＢは標準的なよく知られた構造であり、細長いシャフト１０と、シャフトの第１端部すなわち上端部１４のハンドグリップ１２と、シャフトの第２端部すなわち下端部１８のクラブヘッド１６とを有する。クラブヘッド１６はアイアンとして示しているが、容易に理解されるように、クラブヘッドはドライバー、またはメタルもしくはウッド構造であってもよい。
【００４４】
　ヒンジアセンブリＡは、第１の好適な実施態様では、共働する雄部材および雌部材により形成される２つの部分からなる構成である。後述のように、別のヒンジアセンブリも考えられ、本発明の範囲および意図の範囲内で使用され得る。しかし、ヒンジアセンブリによって、シャフトの下端部、すなわちクラブヘッドが、シャフトの上端部に対して後方向および前方向に２方向移動し得るのが好ましい。このような移動は特に図１の左上部分に点線で示している。
【００４５】
　図１に加えて、図２〜６を参照して、改良されたヒンジアセンブリの第１の好適な配置についてさらに詳細に述べる。この実施態様によれば、ヒンジアセンブリＡは、第１部分すなわち雄部材３０を備えている。雄部材は一方の端部に、ほぼ中空の円筒部３２を有し、この部分はシャフトの第１端部または第２端部の一方を収容してこれと共働するようにされている。図示する特定の配置では、円筒部はシャフト１４の上端部と共働する。第１凹部３４は、シャフトの上端部を密接に収容するような大きさとされ、これにより、シャフトと雄ヒンジ部材とは適切な接着剤、締付け具、またはこれらの組み合せによって互いに固定され得る。
【００４６】
　雄ヒンジ部材の第２端部は拡張部３６を有する。容易に理解されるように、拡張部はヒンジアセンブリの共働する雌部分の凹部に収容される。拡張部は、滑らかな丸みのある輪郭３８（図２）、およびピボットピン４２を収容するようにされた横断方向に延びる開口部４０を有する。ピボットピンは、クラブヘッド１６の面に略平行に延び、これにより、ヒンジアセンブリが図１に示すように後方向または前方向に折れるのが可能になる。さらに、丸みのある輪郭３８により、ヒンジがピボットピンの回りを２方向に移動することすなわち折れることが可能になる。すなわち、この輪郭により、クラブヘッドが、シャフトの上端部に対して後方向および前方向に折れ、スイングが間違っていることを示すのが司能になる。好ましくは、拡張部はゴルフクラブのシャフトの長軸４４から一方の側部に僅かに外れた位置にある（図３）。当然ながら、他の配置を用い得るが、このように拡張部を中央に配置することにより、雌ヒンジ部の、ほぼ等しい大きさのヨーク部を拡張部の両側に配置するのが可能となる。これについては後に明らかにする。
【００４７】
　調整手段５０がヒンジアセンブリの雄部材に一体形成されている。好適な配置によれば、これはクラブシャフトの長軸から横方向に外れた位置にある（図３および図４）。調整手段５０は、一方の端部５４はネジ切りされ、他端部は対向孔５６と連結する貫通孔５２によって形成される。本好適な実施態様ではコイルバネ６２（図２）によって形成される付勢手段６０は、対向孔に収容され、ネジ切り端部５４に収容されるネジ部材６４によって外向き（左向き）に付勢される。コイルバネの他端部は、略球状のボール部材６６によって形成される突出部材に係合し、従ってこのボール部材は外向きに付勢され、雌ヒンジ部材と係合し共働する。これについては後述する。当然ながら、他のタイプのバネおよび／または付勢手段を用いても、本発明の範囲および意図から外れることなく、同等の成果が得られ得る。
【００４８】
　ボール部材に加えられる付勢力は、ネジ切り部材をコイルバネ６２の方向に前進またはこれから離れる方向に退却させることによって、選択的に調整され得る。調整手段がクラブシャフトの長軸に対して横方向に外れた位置にあることにより、ゴルフクラブのユーザすべてにとってアクセスが容易になる。
【００４９】
　この配置により、調整を行うためにハンドグリップを取り外して、細長い道具をシャフトの上端部から挿入していた以前の調整に比べ、調整が容易となる。本発明の新規の配置によれば、ゴルフスイングトレーニング装置と共に、例えばＡｌｌｅｎレンチ（図示せず）などの調整具を提供することにより、ユーザが凹部５２を通してネジ切り部材６４に容易に接近し、所望の調整を行うことが可能となる。ヒンジアセンブリの張力を調整する他の部材および異なる構造配置も考えられる。
【００５０】
　調整部材５０によって得られる他の特徴は、ゴルフクラブを真直ぐにするための一助となることである。詳しくは、上述のように、調整手段はシャフトの長軸の一方の側に横方向に外れた位置にある。審美性および機能性の両方の理由から、調整手段はクラブヘッドから対角方向にほぼ反対側の領域に配置するのが最も有用であると考えられる。クラブヘッドはシャフトの長軸４４から半径方向にすなわち横断方向に一方向に（図３および図４では下向き）に延び、一方、調整手段は横断方向に反対方向に（図３および図４では上向き）に延びる。クラブがゴルファーの手の中で使用に際しての適切な位置にあるとき、また図１に示すように、クラブシャフト１０を見おろすゴルファーの視線からは、トウすなわちクラブヘッドはゴルファーの身体から離れる方向を向いており、また調整手段は本質的にはゴルファーに向かう方向を向き、視野からは隠れた位置にあるはずである。従って、ボールをアドレスするとき、調整手段がゴルファーの視野にあるならば、クラブが使用に際しての適切な位置になるようにクラブシャフトの回転または位置を変更すべきである。
ヒンジアセンブリの第２部分すなわち雌部材７０は、一方の端部に、クラブシャフトを密接に収容し得る大きさの直径を有する凹部７２を有する。この特定の配置では、シャフトの下端部１８と雌ヒンジ部材とが互いに固定される。この場合も、接着剤、リベットまたはネジのような締付け具、もしくはこれらの両方などの適切な固定手段を用いて、雌ヒンジ部材とシャフトの下端部とを互いに固定し得る。雌部材の第２端部からは第１および第２ヨークすなわちフランジ７４、７６（図５および６）が軸方向に延びている。ヨークの間には、雄ヒンジ部材の延長部３６を収容する収容手段すなわち空洞部７８が形成される。ヨークは各々、横断方向の通路すなわち開口部８０、８２を有し、これらはまた外側先端部に各々、さら孔部８４、８６を有する。横断方向の開口部は、雄ヒンジ部材の延長部が空洞部７８に挿入されると、開口部４０、８０および８２が実質的に整合され、ピボットピン４２を貫通させて収容するように整合される。ピボットピンの両端部は変形または機械加工されて、さらに孔部８４、８６に合わせられ、両ヒンジ部材を選択的な揺動関係に維持する。
【００５１】
　組み立てられると、一方のヨーク７４は雄ヒンジ部材の調整手段の貫通孔５２とは軸方向に対向する位置にくる（図５および図６）。このヨークは、滑かな丸みのある輪郭に形成された凹部９０を有する。凹部はボール部材６６を収容するようにされている。図示するように、凹部は、第１および第２角表面９２、９４を含む略Ｖ形状のノッチ９０によって形成される。第１角表面９２は、ボール部材６６、コイルバネ６２、およびネジ切り部材６４と共に、クラブヘッドが前方向に折れるのに必要な力を制御するようにされている。この場合も、図１に示すように、この前方向の折れば点線で、左上隅に破線で示すように、９時の位置で示されている。一方、第２角表面９４はヒンジが後方向に、すなわち図１に破線で示した１２時の位置に折れるのに必要な力を制御するように設計されている。長軸に対するこれら表面９２、０４の角方向を制御することによって、ヒンジを前方向に折るのに必要な力と、ヒンジを後方向に折るのに必要な力とが異なるようにされる。
【００５２】
　詳しくは、また図７をさらに参照して、例えば長軸４４に対して４５°の範囲の鋭角の場合、６０°などの鈍角の場合より、ヒンジを折るのに必要な力は大である。さらに、角表面の交差部は、長軸から０．０１インチの範囲でおよび参照番号９６によって示されるように、横方向に外れた位置にある。当業者には理解されるように、他の角度および寸法関係でも本発明の範囲および意図から外れることなく用いられ得る。
【００５３】
　図８ａは凹部９０の別の好適な配置を示す。図示するように、ヨーク７４には略半球状の凹部９８が形成される。本実施態様の原理に従えば、凹部９８の曲率はボール部材６６の曲率より実質的に小さい。例えば、１つの好適な配置では、ボール部材の直径は５／３２インチの範囲であり、一方、凹部は約１／８または７／６４インチの直径に基づく。凹部の一方の縁に沿って面取りすなわちベベル９９が形成され、図８ｂにさらに詳しく示すように、約６０°の傾斜角で円周方向に延びている。面取りにより、ヒンジは、一方向、すなわち面取りの上を通る方向に折れる方が、他の方向に折れるより容易となる。この理由は図７のＶ形状のノッチに関連して上述した通りである。この場合も、当業者には理解されるように、他の寸法関係を用いても同じ目的を果たし得る。
【００５４】
　ヒンジアセンブリをクラブの重心位置に配置しているため、ゴルファーのスイングの欠陥はシャフトの長さを通して拡大される。さらに、ゴルファーのスイングのエラーのうち他のものほど重要ではないエラーは、エラーによりヒンジアセンブリに不当な力が加わらない限りは、ヒンジを折ることによってエラーを表示する必要はない。これらの表面９２、９４または面取り９９の長軸に対する角方向を制御することによってエラーの選択的な制御および訂正を行い得る。他のすなわち改変されたヒンジアセンブリを図９〜１３に示す。操作の原則は概して同じであるが、この改変ヒンジアセンブリでは、本発明の教示によって異なるヒンジ構成が用いられ得ることが示される。詳述すれば、先の実施態様の雄および雌ヒンジ部材ではなく、一対の実質的に同じヒンジ半体１００、１０２が用いられる。図９〜１１に示す第１ヒンジ半体１００は、貫通する孔部１０６を有する、ほぼ空洞の円筒状第１端部１０４を有する。この配置では、第１端部の外径は空洞のクラブシャフト内に選択的に収容される。これはシャフトがヒンジアセンブリ内に収容される前述の実施態様とは反対である。この場合も、接着剤、締付け具、またはこれらの組み合せなどの適切な固定手段を用いて、ヒンジ半体１００をシャフト１４の上端部に固定し得る。
【００５５】
　貫通孔１０６は一方の端部１０８でネジ切りされ、外側がネジ切りされた部材１１０を内部に収容する。さらに、コイルバネ１１２が付勢手段を形成し、この一方の端部はネジ切り部材と共働し、また第２端部は突出ボール部材１１４と連動する。単一の拡張フランジすなわちヨーク１１６はヒンジ半体の長軸から横方向に外れた位置にある。フランジは、ピボットピン１２４を収容する横方向すなわち横断方向に延びる開口部１１８を有する。開口部の一方の端部はさら孔１２６であり、これにより、ピンが変形または拡径されて、ヒンジアセンブリが偶然に外れたり離れたりするのを防ぐことができる。
【００５６】
　図９、図１２、および図１３に示すように、第２ヒンジ半体１０２は実質的に同じ構造を有する。しかし、貫通孔を内部に有さない。第１端部は、同様に、クラブシャフトの空洞の下端部内に収容され得る大きさの直径を有する。さらに、接着剤、リベット、または他の同等の配置によってクラブシャフトに適切に固定される。第２ヒンジ半体もまた軸方向に延びるフランジ１３０を含み、このフランジの横方向の寸法は第１ヒンジ部のフランジＨ６より僅かに大きい。
【００５７】
　特に、フランジの一部は、ゴルフクラブに組み込まれるとシャフトの長軸に沿って延びる。この理由については以下に明らかにする。フランジはまた横断方向の開口部１３２を有し、これは、第１ヒンジ半体の開口部１１８と整合すると、ピボットピンを収容してこれと共働し、またヒンジ半体間を連結してこれらの間の選択的な揺動を可能にする。フランジ１１６、１３０の各々は滑らかな丸みのある輪郭（図１０および１２）を有しており、これにより、図１に示すような、ヒンジの２方向移動、すなわち後方向および前方向の移動が可能となる。
【００５８】
　フランジ１３０の端部には、第１ヒンジ半体からのボール部材１１４を収容し共働する収容手段すなわち凹部１３４が形成される。図示するように、この凹部は略半球状の輪郭を有し、ボール部材の球状の輪郭を収容する。ネジ切り部材１１０の選択的な調整によって、コイルバネによってボール部材に加えられる力、および、これにより得られるボール部材と凹部１３４との間の接触力は選択的に調整され得る。
【００５９】
　この配置は実質的に同じヒンジ半体配置であるという利点を有するが、調整はクラブシャフトを通して行わなければならない。同様に、凹部１３４は半球状の輪郭を有しているが、他の輪郭も用いられ得る。または、この輪郭を適応して、ヒンジを一方の方向に折るのに必要な力を他方向の場合に対して変えることも可能である。
【００６０】
　さらに、および当業者には理解されるように、第１ヒンジ半体を適切に改変して、フランジ１１６を拡張し、また孔部１０６を横方向に外れた位置にして貫通するようにしてもよい。このような配置であれば、中空のクラブシャフト内に収容されるのではなく、図２〜６の実施態様におけるように、クラブシャフトを取り囲むすなわち包囲する配置とする必要がある。このような改変によれば、機能を損なうことなく調整手段への接近が容易となる。当然ながら、第２ヒンジ半体もまた、凹部１３４が長軸から外れた位置になるように適切に改変されなければならない。しかし、これは図２〜６の実施態様に類似した方法で容易に配置され得、これにより、前述の実施態様のすべての利点および長所が、共働する雄部材および雌部材を用いる必要のないヒンジアセンブリに組み込まれ得る。
【００６１】
　本発明を好適な実施態様を参照して述べた。本明細書を読みまた理解することにより、他の者が改変および変更を行い得るのは明かである。このような改変および変更のすべては、添付の請求項またはその同等物の範囲内である限り、本発明に包含されるものとする。
【図面の簡単な説明】
【００６２】
【図１】図１は、本発明のトレーニング装置をゴルフスイングにおける様々な位置で示し、またヒンジアセンブリの折れた状態を点線で示す。
【図２】図２は、本発明の新規のヒンジアセンブリの分解立面図であって、特にその雄部および雌部を示す。
【図３】図３は、図２のヒンジアセンブリの雄部（右側部材）の上から見た平面図である。
【図４】図４は、図３の略右端部から見た雄ヒンジ部の立面図である。
【図５】図５は、図２のヒンジアセンブリの雌ヒンジ部（左側部材）の上から見た平面図である。
【図６】図６は、図５の略右端部から見た雌ヒンジ部の立面図である。
【図７】図７は、雌ヒンジ部の一部の拡大図であり、特に、ヒンジアセンブリを前方向および後方向に折るのに異なる力を必要とする手段を示す。
【図８Ａ】図８ａは、図７に類似した拡大図であって、雌ヒンジ部の別の好適な配置を示す。
【図８Ｂ】図８ｂは、一般に図８ａの右側から見た端面図であって、図示を簡単にするためにボール部材は取り除いてある。
【図９】図９は、改変ヒンジアセンブリの分解平面図である。
【図１０】図１０は、図９のヒンジアセンブリの左側半部の立面図である。
【図１１】図１１は、図１０のヒンジ部の端面図である。
【図１２】図１２は、図９の右側ヒンジ部の立面図である。
【図１３】図１３は、図１２のヒンジ半部の端面図である。
【図１】
2004130144.tif 000002
【図２】
2004130144.tif 000003
【図３】
2004130144.tif 000004
【図４】
2004130144.tif 000005
【図５】
2004130144.tif 000006
【図６】
2004130144.tif 000007
【図７】
2004130144.tif 000008
【図８Ａ】
2004130144.tif 000009
【図８Ｂ】
2004130144.tif 000010
【図９】
2004130144.tif 000011
【図１０】
2004130144.tif 000012
【図１１】
2004130144.tif 000013
【図１２】
2004130144.tif 000014
【図１３】
2004130144.tif 000015